(57)【要約】【課題】陳列棚上に立体的に配置された商品を後方から押し出すための押し出し手段並びに商品見本の収納用引き出し部を設けたことにより、陳列棚の省スペース化と商品見本の内容を分かりやすく展示できるようにしたものである。【解決手段】陳列棚上に立体的に配置した商品を押し出し手段を介して前方に押し出すことにより、商品の前方への移動がスムーズに行われ、且つ押し出し手段として押圧板にテープ巻取具を設けたことにより、押し出し手段がコンパクト化され、商品陳列場所の省スペース化が図られるのである。また陳列棚の下方部に商品見本を収納する引き出し部を設けたことにより、商品の内容を適格に表現でき、且つ商品販売の向上に大きく貢献できるものである。【選択図】図１
2005110741.tif 000002
【特許請求の範囲】
【請求項１】
包装された陳列商品と商品見本を陳列展示する商品陳列装置において、上部に陳列商品を立てて配列する陳列台を設け、該陳列台下部に商品見本を収納する引き出し部を設けて構成したことを特徴とする商品陳列装置。
【請求項２】
陳列台上に、前記陳列台上の後方に前記陳列台と摺動可能な衝立状部材、および前記陳列台の前部と前記衝立状部材を連結する巻き取り構造を有するテープ部材よりなる押し出し手段を設けて構成したことを特徴とする請求項１記載の商品陳列装置。
【請求項３】
前記テープ部材の巻き取り部は前記陳列台の前部または前記衝立状部材のいずれかに設置され、前記テープ部材の巻き取り張力により前記衝立状部材を前方に押し出すように構成したことを特徴とする請求項１および請求項２記載の商品陳列装置。
【発明の詳細な説明】
【技術分野】
【０００１】
本発明は、立体的に配置された陳列商品を押し出し手段により前方に押し出し可能とし、且つ商品見本を収納する引き出し部を設けたもので、商品の陳列場所を省スペース化し、しかも商品の内容を容易に把握できるようにした商品陳列装置に関するものである。
【背景技術】
【０００２】
シャツやパンツ等の各種肌着や下着などの商品を陳列販売するにあたり、適宜の包装袋または包装箱内に収納した商品を例えば陳列棚に重合状に配置しておき、購買者は包装の外観を眺めて適宜に購入しているのが現状である。従って消費者が商品の内容を更に知りたい場合は、直接包装袋内から商品を取り出して確認する場合がある。しかし商品を購入しないときは再度包装袋内に商品を収納するために、型くずれした状態で収納される場合があり、そのために商品陳列の美観上、再度手直しして商品を収納する必要があり、無駄な手数を要する欠点があった。
【０００３】
また商品を陳列棚上に戴置する場合、商品を起立させて配置し、且つ最後尾の商品の背面側を傾斜状に配置したバネ材により押圧して商品を常に前方へ移動させるようにしたものがみられる。しかしバネ材を商品の背面側に配置するときは、それだけ余分のスペースを必要とするために陳列棚の効率化が十分図れず、また美観を損なう欠点があった。
【０００４】
【特許文献１】実用新案出願公開平４−９１６９号公報
【発明の開示】
【発明が解決しようとする課題】
【０００５】
解決しようとする問題点は、商品見本のわかりやすい展示がされてなく、また商品陳列棚のスペースが有効に活用されてなく、省スペース化が図られていない点である。
【課題を解決するための手段】
【０００６】
本発明は、陳列棚に立体的に配置した商品を前方に押し出すための押し出し手段及び商品見本の収納用引き出し部を設けたことを最も主要な特徴とする。
【発明の効果】
【０００７】
本発明は、陳列台上に立体的に配置した商品を押し出し手段によって前方に押し出すことにより、商品を取り出した後の商品の前方への移動がスムーズに行われ、且つ押し出し手段として押圧板にテープ巻取具を設けたことにより、押し出し手段がコンパクト化され、商品陳列場所の省スペース化が図られるのである。また陳列棚の下方部に商品見本を収納する引き出し部を設けたことにより、商品の内容を適格に表現でき、且つ商品販売の向上に大きく貢献できるものである。
【発明を実施するための最良の形態】
【０００８】
陳列棚上に立体的に配置された商品を後方から押し出すための押し出し手段並びに商品見本の収納用引き出し部を設けたことにより、陳列棚の省スペース化と商品見本の内容をより分かりやすく展示できるようにしたものである。
【実施例１】
【０００９】
図例において１は商品陳列装置で２は商品３の陳列部、５は商品陳列部２の下方位置に設けた引き出し部で商品見本６を収納するようにしてあり、８は商品見本６を保持するためのハンガーで、同ハンガー８は引き出し部５内に設けた連結具１０に連結するようにしてある。尚、商品３としては例えば適宜の包装用袋内に肌着や下着などの商品を収納したものと同等の商品を展示するようにようにしている。
【００１０】
商品陳列部２において、１２は商品３を戴置するための戴置板で適宜固定してあり、１３は隔壁板、１５は背面板で、各隔壁板１３で分割された各分割室１６では夫々商品３を直立状に起立させて陳列するようにしてある。１８は戴置板１２に設けた凹状の溝部で同溝部１８は各分割室１６毎に設けてあり、３０はL字状の押圧板で戴置板１２の表面に摺動自在に設けてある。
【００１１】
３２はテープ巻取具でL字状の押圧板３０上に固定してあり、且つ同巻取具３２は通常の巻き尺と同様の構造で周知の構造で構成されるようになっている。３３はテープ巻取具３２内に内蔵した金属製の帯状テープで溝部１８内を走行自在となるようにしてあり、更に同テープ３３の先端部を溝部１８の先端側に固定してある。尚、通常の巻き尺と同様に引き出された帯状テープ３３は元の巻き戻す方向に引っ張られるようにしてあり、３４は帯状テープ３３の走行用ガイドでテープ巻取具３２に固定してある。また引き出された帯状テープ３３は、常に元の巻き戻す方向に引っ張られるように形成されているために、先端側が固定されている帯状テープ３３の引っ張り力を介して押圧板３０が常に前方側に押圧され、且つ重合状に立体的に起立され、陳列された商品３は、押圧板３０により常に押圧されて前方側に移動するようにしてある。
【００１２】
３７は商品内容の表示部で上下端縁を夫々内側に二重に折り曲げたケース３８で形成され、且つ同ケース３８を戴置板１２の先端縁部に傾斜状に固定してあり、３９は商品の内容を記載した表示片でケース３８内に挿入して一般の消費者側に商品の内容を見易くするようにしてある。４３は引き出し部５の先端側に設けた持ち手で、引き出し部５の出し入れを容易となるようにしてある。尚、商品見本６を保持するためのハンガー８は、引き出し部５内に設けた連結具１０に連結してあり、且つ同ハンガー８の係止部を出し入れ自在とし、ハンガー８の幅を自由に調節できるようにしてある。
【００１３】
図４はテープ巻取具３２の概略断面図を示したもので、外箱５０と内部に設けた帯状バネ収納ケース５５から形成され、同外箱５０には雌ネジを有するネジ軸６２及び金属製の帯状バネ５２係止用ロッド６３が夫々設けられている。また帯状バネ収納ケース５５には、金属製の帯状バネ５２及び帯状テープ３３が収納されるようにしてあり、且つクリール状に形成されている。尚、７１は帯状バネ収納ケース５５の環状部、７２は内側空間部、７４は鍔部で環状部７１には金属製の帯状テープ３３が、図５の矢印Ａの如く、右巻き方向に捲回されており、更に内側空間部７２においては、図５の如く同様に右巻き方向に捲回された帯状バネ５２が収納されるようになっている。
【００１４】
尚、帯状テープ３３には帯状バネ５２のバネ力によって元の状態に戻ろうとする復元力（引張力）が付与され、テープ巻取具３２は、帯状テープ３３の復元力（引張力）によって常に前方に前進しようとする引張力（押圧力）が付与されるのである。従って商品３が商品陳列部２の戴置板１２から取り出される毎に、テープ巻取具３２は、図２の状態において前進し、押圧板３０を介して商品３が前方に順次、移動するようになっている。
【００１５】
また図５は、テープ巻取具３２を戴置板１２の先端側に装着するようにした他の実施例を示したもので、同巻取具３２は溝部１８の先端側（商品内容の表示部３７の下方位置）      に固定してあり、更に溝部１８内に挿通された帯状テープ３３の先端部を押圧板３０の裏面に設けた固定片３５に固定してあり、前述と同様にテープ巻取具３２は、帯状テープ３３の引張力によって常に前方に前進しようとする引張力（押圧力）が付与されるようにしてある。
【産業上の利用可能性】
【００１６】
テープ巻取具をL字状の押圧板又は溝付きの戴置板上に固定してテープ巻取具を前方へ前進させようとする場合、戴置板を水平状に設置するのみでなく、昇り勾配又は下り勾配状に設置しても同様の効果が得られるのである。
【図面の簡単な説明】
【００１７】
【図１】本発明装置全体の斜視図である。
【図２】図１の概略側断面図である。
【図３】図２の概略断面図である。
【図４】テープ巻取具の概略正面断面図である。
【図５】テープ巻取具を戴置板の先端側に固定するようにした他の実施例による概略側断面図である。
【符号の説明】
【００１８】
３    商品  
５    引き出し部
６    商品見本
１８    溝部
３０    押圧板
３２    テープ巻取具    
３３    帯状テープ
５２    帯状バネ
５５    バネ収納ケース
【図１】
2005110741.tif 000003
【図２】
2005110741.tif 000004
【図３】
2005110741.tif 000005
【図４】
2005110741.tif 000006
【図５】
2005110741.tif 000007